(57)【要約】【課題】工事の作業現場などで、作業の進捗をリアルタイムに明示的に把握できるようにし、作業現場の入退場の許可を自動化し、むだな作業や仕事の割当てを発生させないようにする。【解決手段】作業者にＩＤタグをつけさせて、入場と退場時にＩＤタグリーダにより、その作業者の入場時刻と退場時刻を読み取り、入退場履歴データベースに記録する。入退場管理サーバは、作業者情報データベース、作業データベース、入退場履歴データベースに登録されている情報に基き、作業者の入場を許可するかを判定する。また、作業進捗管理サーバは、作業毎の進捗率を求め、作業進捗状況を表示し、遅延が発生したときには、アラーム表示する。【選択図】図１
2007188116.tif 000002
【特許請求の範囲】
【請求項１】
作業者が携帯するＩＤタグを読み取り、そのＩＤタグ情報に基づき作業者および作業進捗の管理をおこなう作業進捗管理システムにおいて、
作業者が携帯するＩＤタグを読み取るＩＤタグリーダと、
ＩＤタグの識別番号と作業者とを関連付けた作業者情報データベースと、
作業に関する情報を含む作業データベースと、
前記ＩＤタグリーダに接続された第一の管理サーバとを備え、
前記作業データベースは、作業毎に、その前工程が完了したかを示す前工程完了フラグとその作業の開始予定日を表す作業開始予定日のフィールドを含み、
前記ＩＤタグリーダは、読み取ったＩＤタグ情報を前記第一の管理サーバに送信し、
前記第一の管理サーバは、作業現場に入場する作業者の携帯するＩＤタグのＩＤタグ情報を受け取って、前記作業者情報データベースより該当する作業名を求め、前記作業データベースのその作業名に該当するレコードの前記作業データベースの前工程完了フラグと作業開始予定日との値に基づき、そのＩＤタグの識別番号に関連付けされた作業者の前記作業現場への入場可否を判定することを特徴とする作業進捗管理システム。
【請求項２】
さらに、ＩＤタグの識別番号毎に、入場時刻と退場時刻のフィールドを含む入退場履歴データベースと、
作業毎に、作業の標準時間のフィールドとを含む作業進捗データベースと、
作業の進捗を管理する第二の管理サーバとを備え、
前記第一の管理サーバは、作業者の入場と退場毎に、その作業者に関連付けられたＩＤタグの識別番号に該当するレコードの前記入退場履歴データベースの入場時刻と退場時刻とを設定し、前記作業時間を前記退場時刻と前記入場時刻の差として計算し、前記作業者データベースの作業を参照して、作業毎に集計して、作業毎の作業進捗時間を求め、その値を前記第二の管理サーバに送信し、
前記第二の管理サーバは、前記第一の管理サーバより前記作業進捗時間の値を受取って、その作業進捗時間の値を前記作業進捗データベースの前記標準時間で除することにより、該当する作業の進捗率を計算することを特徴とする請求項１記載の作業進捗管理システム。
【請求項３】
前記進捗率が１を超えたときに、表示装置にアラーム表示をおこなうことを特徴とする請求項２記載の作業進捗管理システム。
【請求項４】
さらに、作業ＩＤタグリーダを有し、
前記作業進捗データベースは、前記作業完了フラグを含み、
前記作業ＩＤタグリーダが作業ＩＤタグを読み取ったときに、前記作業完了フラグをＯＮにすることを特徴とする請求項２記載の作業進捗管理システム。
【請求項５】
前記作業進捗データベースは、作業者の会社毎に、進捗率のフィールドを有し、
前記第二の管理サーバは、会社毎の進捗率を計算することを特徴とする請求項２記載の作業進捗管理システム。
【発明の詳細な説明】
【技術分野】
【０００１】
本発明は、作業進捗管理システムに係り、作業者の入退場管理をおこないつつ、作業の進捗管理も同時におこなえるシステムであって、建設現場、工事現場、食品の製造ライン等の労働集約型の事業に用いて好適な作業進捗管理システムに関する。
【背景技術】
【０００２】
図１４は、従来技術に係る工程進捗管理の流れを示す図であり、この図１４に示されるように、従来では、ビル建設等の大規模工事の作業進捗状況を把握するには、各作業工程の作業責任者毎に、作業終了後、作業進捗状況を口頭で報告してもらい、現場監督は、その結果を作業進捗管理システムに情報のアップデートを手動でおこない、作業進捗管理をおこなっていた。
【０００３】
また、工事現場では作業を許可されていない作業者が入場することで、作業環境が乱されたりして、作業の後戻り作業が発生し、予定の作業工程が守れないことが多い。
【０００４】
さらに、以下の特許文献１には、作業者に携帯端末を持たせて、サーバに送信することにより、リアルタイムに入退場を管理する技術が開示されている。
【０００５】
【特許文献１】特開２００３−３３７８８１号公報
【発明の開示】
【発明が解決しようとする課題】
【０００６】
一般的な従来技術では、作業進捗状況がリアルタイムで把握できず、その日の作業進捗状況は作業責任者の報告に依存しているので、次の日の作業予定を立てるのに相当の時間と労力を要するという問題があった。
【０００７】
一方、上記従来技術の特許文献１では、普及してきた携帯電話などの携帯端末を作業者に持たせて、データベースと連携させることにより作業者の入退場の管理をしている。また、これにより、第三者も工程状況を把握することができ、作業員が自分の作業が可能になったか確認したり。施主が状況を把握したりすることができるとしている。
【０００８】
しかしながら、どのように工程状況を管理し、作業員が自分の作業が可能になったかをどのように知るかは具体的には開示されていない。
【０００９】
したがって、前工程を終了していないと次工程に入れない作業工程では、正確な作業進捗管理ができていないと、作業者が作業現場に来ても、作業できない歩留まりが発生してしまうという問題は解決されていない。。
【００１０】
また、作業現場に入場するに際して、作業員ＩＤの入場許可チェックだけでは、その日の作業を許可された作業者か否かの判定ができないという問題があった。
【００１１】
本発明は、上記問題点を解決するためになされもので、その目的は、作業の進捗をリアルタイムに明示的に把握でき、作業現場の入退場の許可を自動化し、むだな作業や仕事の割当てを発生させないようにする作業進捗管理システムを提供することにある。
【課題を解決するための手段】
【００１２】
上記の課題を解決するために、本発明では作業者の携帯品にＩＤタグを装着して、作業現場への入場および退場時にＩＤタグリーダを用いて、ＩＤタグ情報を読取り、読み取ったＩＤタグ情報は、ＬＡＮなどのネットワークを介して入退場管理サーバに送信され、サーバ上のデータベースに蓄積される。
【００１３】
入退場管理サーバは、作業者データベースと作業データベースにより、そのＩＤタグをつけた作業者の作業を特定して、その作業の開始予定日と前工程が完了しているかを調べる。そして、現在の日にちが作業の開始予定日に達していて、かつ、前工程が完了している作業者のみに作業現場の入場を許可する。
【００１４】
また、入退場管理サーバは、作業者情報データベースと入退場履歴データベースにより、作業者毎の入場時刻と退場時刻により各々の入退場でどれだけの作業時間になったかを計算し、作業毎に集計して作業毎の作業時間を求め、作業進捗管理サーバに送信する。
【００１５】
作業進捗管理サーバでは、作業毎の作業時間をその作業の標準時間で割って、進捗率を計算し、表示装置などに表示する。進捗率が１００％を超えても作業が終了していないときには、作業に遅延があるとみて、アラームを出すようにする。
【００１６】
すなわち、作業集計時間＞作業標準時間となっても作業完了処理がされていない工程については、表示装置でアラーム表示されることで、工程遅延を発生させている作業項目を簡単に見つけることが可能になる。
【００１７】
また、各作業工程が完了した場合には、現場管理事務所にある作業進捗ボードにある作業ＩＤタグの付いたシートをＩＤタグリーダで読み込ませることで作業進捗状況が完了したことを表示する。
【発明の効果】
【００１８】
本発明によれば、作業の進捗をリアルタイムに明示的に把握でき、作業現場の入退場の許可を自動化し、むだな作業や仕事の割当てを発生させないようにする作業進捗管理システムを提供することができる。
【発明を実施するための最良の形態】
【００１９】
以下、本発明に係る一実施形態を、図１ないし図１３を用いて説明する。
先ず、図１および図２を用いて本発明の一実施形態に係る作業進捗管理システムの構成について説明する。
図１は、本発明の一実施形態に係る作業管理システムをその作業の流れと共に示した図である。
図２は、本発明の一実施形態に係る作業管理システムの構成を簡単に示した図である。
【００２０】
作業者が作業現場に入場する際には、携帯しているＩＤタグ１０をＩＤタグリーダ２０で読み取り、ネットワーク等で接続された入退場管理サーバ５０に入場許可問合せをおこなう。そして、その日の作業予定者か否かを判定して入場許可あるいは拒否の判定を端末３０のＩＤタグリーダ画面に表示させる。
【００２１】
作業許可された作業者は、入場時と退場時に携帯しているＩＤタグ１０をＩＤタグリーダ２０に読ませることにより、作業時間が算出でき、その実績情報を管理している入退場管理サーバ５０は、作業進捗管理サーバ９０に作業時間実績情報を送信する。
【００２２】
作業進捗管理サーバ９０では、予め作業毎に作業完了までの作業完了標準時間を設定しておき、作業完了標準時間に対する作業時間実績の割合を進捗状況とし、作業進捗管理サーバ画面に求められた作業進捗状況を自動的にアップデートして表示する。
【００２３】
また、各作業が完了した場合には、作業責任者は現場管理事務所に設置される作業進捗ボード７０から、各工程を示す作業ＩＤタグ８０を取り出して、それを作業ＩＤタグリーダ６０に読み取らせることにより、作業進捗管理サーバ９０に作業完了情報が送信され、上記と同様に作業進捗管理サーバ９０に進捗状況が自動的にアップデートされる。
【００２４】
図１に示されるＩＤタグ１０は、作業者が携帯するＩＤタグである。ＩＤタグリーダ２０は、ＩＤタグ１０を読取る装置である。端末３０は、ＩＤタグリーダ２０でＩＤタグ１０を読取った後、その読取情報を入退場管理サーバ５０に送信し、入場許可判定の結果を画面表示させる装置である。ＬＡＮ４０は、端末３０、入退場管理サーバ５０および作業進捗管理サーバの情報送受信をおこなうためのネットワークである。
【００２５】
入退場管理サーバ５０は、作業者の情報、作業情報を管理し、作業者の作業現場の入場を許可するか否かを判定するためのサーバである。詳細な構成は後に説明する。
【００２６】
作業進捗管理サーバ９０は、作業状況の進捗を管理するためのサーバでるある。これも詳細な構成は後に説明する。
【００２７】
作業ＩＤタグ８０は、作業を示すタグであり、作業が完了したときには、これを作業ＩＤタグリーダ６０に読み取らすことにする。作業ＩＤタグリーダ６０は、作業ＩＤタグ８０を読取る装置である。作業進捗ボード７０は、作業ＩＤタグ８０が作業工程毎に保管されているボードである。
【００２８】
次に、図３および図５を用いて本発明の第一の実施形態に係る作業進捗管理システムの各部の詳細な構成について説明する。
図３は、入退場管理サーバの構成図である。
図４は、作業進捗管理サーバの構成図である。
図５は、端末の構成図である。
【００２９】
入退場管理サーバ５０は、図３に示されるように、通信処理部５０１、制御部５０２、検索処理部５０３、演算処理部５０４、登録処理部５０５から成り、作業情報ＤＢ５０６、作業ＤＢ５０７、入退場履歴５０８、作業時間ＤＢ５０９の各種データベースが接続されている。
【００３０】
入退場管理サーバ５０は、ＬＡＮ４０からの通信を通信処理部５０１で受け取り、制御部５０２により内容を解析し、検索処理部５０３、演算処理部５０４、登録処理部５０５に処理が振り分けられる。処理部からの指示により、作業情報ＤＢ５０６、作業ＤＢ５０７、入退場履歴５０８、作業時間ＤＢ５０９のデータベースへのアクセスがおこなわれる。
【００３１】
作業進捗管理サーバ９０は、図４に示されるように、通信処理部９０１、制御部９０２、検索処理部９０３、演算処理部９０４、登録処理部９０５から成り、作業進捗ＤＢ５１１が接続されている。
【００３２】
作業進捗管理サーバ９０は、ＬＡＮ４０からの通信を通信処理部９０１で受け取り、制御部９０２により内容を解析し、検索処理部９０３、演算処理部９０４、登録処理部９０５に処理が振り分けられる。処理部からの指示により、作業進捗ＤＢ５１１のデータベースへのアクセスがおこなわれる。
【００３３】
端末３０は、図５に示されるように、通信処理部３０１、入力受付部３０２、制御部３０４、表示処理部から成る。
【００３４】
端末３０は、ＩＤタグリーダ２０から読み込んだＩＤタグ情報を入力受付部３０２が受け取り、制御部３０４に渡す。制御部３０４は、通信処理部３０１、ＬＡＮ４０を経由して、入退場管理サーバ５０から入場可否判定情報を取得し、入場許可判定の場合には、入退場管理サーバ５０に対して、通信処理部３０１、ＬＡＮ４０を経由して入場読取時刻を送信する。入場可否判定の結果は、表示処理部３０３にも表示される。
【００３５】
次に、図６ないし図１０を用いて本発明の第一の実施形態に係る作業進捗管理システムに用いられるデータ構造について説明する。
図６は、作業者情報ＤＢ５０６を示す図である。
図７は、作業ＤＢ５０７を示す図である。
図８は、入退場履歴ＤＢ５０８を示す図である。
図９は、作業時間ＤＢ５０９を示す図である。
図１０は、作業進捗ＤＢ５１１を示す図である。
【００３６】
作業者情報ＤＢ５０６は、作業者に関する情報を登録するデータベースであり、図６に示されるように、ＩＤタグＮＯ５０６１、作業者名５０６２、会社名５０６３、連絡先５０６４、作業名５０６５の各フィールドを有し、ＩＤタグＮＯ５０６１がキーになっている。ＩＤタグＮＯ５０６１は、この作業者がつけているＩＤタグの番号を格納するフィールドである。作業名５０６５は、この作業者が従事する作業の名称を格納するフィールドであり、例えば、建築現場なら「木組み」、「モルタル打ち」、「防水加工」というような名称が入る。
【００３７】
作業ＤＢ５０７は、現場でおこなわれる作業に関する情報を登録するデータベースであり、図７に示されるように、作業名５０７１、作業開始予定日５０７２、作業開始実績日５０７３、作業完了予定日５０７４、前工程作業５０７５、前工程完了フラグ５０７６の各フィールドを有し、作業名５０７１がキーになっている。作業開始予定日５０７２、作業開始実績日５０７３、作業完了予定日５０７４は、それぞれのその作業名５０７１の示す作業を開始することになっている予定日、実際に開始した日、作業が完了することになっている予定日である。
【００３８】
前工程は、その作業の前工程であって、その前工程の作業が終わらなければ、その作業に入ることのできない作業である。前工程完了フラグは、その前工程の作業が完了したことを示すフラグである。
【００３９】
図７では、「防水加工」の前工程として、「モルタル打ち」の作業があり、「モルタル打ち」の前工程には、「木組み」の作業があることを示している。
【００４０】
ここで、入退場管理サーバ５０は、作業開始予定日に達していて、かつ、前工程完了フラグがＯＮになっている作業をする作業者のみに、入場を許可する。
【００４１】
入退場履歴ＤＢ５０８は、作業者の入退場の履歴を登録するデータベースであり、図８に示されるように、ＩＤタグＮＯ５０８１、入場読取時刻５０８２、入場フラグ５０８３、退場読取時刻５０８４、退場フラグ５０８５、作業時間５０８６の各フィールドを有し、ＩＤタグＮＯ５０８１がキーになっている。
【００４２】
入場読取時刻５０８２、退場読取時刻５０８４は、そのＩＤタグＮＯのＩＤタグをつけた作業者が作業現場に実際に、それぞれ入場、退場した時刻であり、入場フラグ５０８３、退場フラグ５０８５は、それぞれその作業者が入場、退場したときにＯＮになる。
【００４３】
作業時間５０８６は、退場時刻５０８４の値から入場時刻５０８２の値を引いて求められる。
【００４４】
作業時間ＤＢ５０９は、作業の集計時間を登録するデータベースであり、図９に示されるように、作業名５０９１、作業集計時間５０９２のフィールドを有し、作業名５０９１がキーになっている。
【００４５】
作業集計時間５０９２は、作業名５０９１の示す作業がおこなわれた作業時間の集計である。
【００４６】
作業進捗ＤＢ５１１は、作業の進捗を管理するためのデータベースであり、図１０に示されるように、作業名５１１１、作業完了標準時間５１１２、作業集計時間５１１３、作業完了フラグ、進捗率５１１５の各フィールドを有し、作業名５１１１がキーになっている。作業完了標準時間５１１２は、作業名５１１１の示す作業が標準的に完了するであろうと見積もられている時間である。作業進捗時間５１１３は、図９に示した作業時間ＤＢ５０９の作業集計時間５０９２と同じものであり、入退場管理サーバ５０が作業集計時間５０９２の値を転送して、作業進捗管理サーバ９０が作業進捗時間５１１３にその値を設定する。作業完了フラグは、その作業が完了したときにＯＮにされる。進捗率は、その作業がどの程度まで進んだがを示す指標であり、作業集計時間５１１３の値を作業完了標準時間５１１２で割ることによって求められる。進捗率が１より大きい、すなわち、１００％を超えているときには、作業工程になんらかの遅延が起きていることを示唆している。
【００４７】
次に、図１１ないし図１３を用いて本発明に係る作業進捗管理システムの処理について説明する。
図１１は、作業者が入場するときにおこなわれる処理を示すフローチャートである。
図１２は、作業者が退場するときにおこなわれる処理を示すフローチャートである。
図１３は、作業進捗ＤＢ更新に関する処理を示すフローチャートである。
【００４８】
作業者が工事現場に入場するときに、予め作業者が保持しているＩＤタグ１０をＩＤタグリーダ２０で読み取る（Ｓ００１）。ＩＤタグ１０は、それぞれの作業者が区別できるようになっており、ヘルメットなどにつけてもよいし、名札にして胸の部分につけるなどしてもよい。
【００４９】
ＩＤタグリーダ２０は、端末３０およびＬＡＮ４０を経由して、入退場管理サーバ５０にＩＤタグを読み込んだ情報を送信する。そして、入退場管理サーバ５０のデータベースとして管理されている作業者情報ＤＢ５０６と作業ＤＢ５０７を検索して（Ｓ００２）、ＩＤタグのＩＤタグＮＯ５０６１より該当する作業名を求めて、作業ＤＢ５０７の作業開始予定日５０７２と前工程作業完了フラグ５０７６を取り出す。そして、作業開始予定日５０７２と前工程作業完了フラグ５０７６に基づき、入場が許可されている作業者かを判断し（Ｓ００３）、その結果を端末３０に表示する（Ｓ００５）。
【００５０】
ここで、入退場管理サーバ５０は、現在の日にちが作業開始予定日５０７２に達していて、前工程作業完了フラグ５０７６がＯＮになっているときには、その作業者の入場を許可するものとする。例えば、図６、図７に示されるように、ＩＤタグＮＯ５０６１が「００１０」の作業者名５０６２が「田中一郎」の作業者は、作業名が「モルタル打ち」の作業をやる予定であり、前工程作業５０７５の「木組み」の作業が完了しているので、入場が許可される。
【００５１】
入場が許可されたときには、入退場管理サーバ５０は、入退場履歴ＤＢ５０８の該当するＩＤタグＮＯ５０８１のレコードの入場読取時刻５０８２に値を設定し、入場フラグ５０８３をＯＮにする（Ｓ００４）。
【００５２】
作業者が作業を終えて、工事現場から退場するときにも、入場時と同様に作業者が保持しているＩＤタグ１０をＩＤタグリーダ２０で読み取る（Ｓ１０１）。
【００５３】
ＩＤタグリーダ２０は、端末３０およびＬＡＮ４０を経由して入退場管理サーバ５０にＩＤタグ１０で読み込んだ情報を送信する。そして、入退場管理サーバ５０は、読み込んだＩＤタグＮＯに該当する入退場履歴ＤＢ５０８を検索し（Ｓ１０２）の中の入場フラグ５０８３によって入場記録があるか否かを判定し（Ｓ１０３）、入場記録がない場合には、端末３０にアラーム表示する（Ｓ１０７）。この場合は、作業者が不正な入場をおこなっているかシステムのエラーが起こっている可能性があるからである。
【００５４】
入場記録が確認された場合には、入退場履歴ＤＢ５０８の退場読取時刻５０８４を設定し、退場フラグ５０８５をＯＮにする（Ｓ１０４）。そして、作業者の入場から退場までの作業時間を、退場読取時刻５０８４から入場読取時刻５０８２を引くことにより求めて（Ｓ１０５）、ＩＤタグＮＯ５０８１のレコードの作業時間５０８６のフィールドに値を設定する（Ｓ１０６）。
【００５５】
入退場管理サーバは、入退場履歴５０８６の作業時間５０８６が更新されると、作業者ＤＢ５０６を参照して、ＩＤタグＮＯ５０８１のＩＤタグをつけた作業者のおこなった作業名を求めて、作業時間ＤＢ５０９を検索して、該当する作業集計時間５０９１に更新された作業時間５０８６の値を加算する。そして、作業集計時間５０９１の値を作業進捗管理サーバ９０に転送する。
【００５６】
作業進捗管理の処理は、作業進捗管理サーバ９０が作業進捗ＤＢ５１１に基いておこなう。
【００５７】
作業進捗管理サーバ９０は、入退場管理サーバ５０より作業集計時間５０９１の値を受け取り、作業進捗ＤＢ５１１の作業集計時間５１１３に値を設定する。また、作業名毎に、作業を完了するための標準時間が、予め作業完了標準時間５１１２のフィールドに設定されている。
【００５８】
作業進捗管理サーバ９０は、これらの作業集計時間５１１３と作業完了標準時間５１１２を取り出し（Ｓ２０１、Ｓ２０２）、作業集計時間５１１３を作業完了標準時間５１１２で割ることにより、作業の進捗率を算出する（Ｓ２０３）。そして、作業進捗ＤＢ５１１の進捗率５１１５に値を設定する（Ｓ２０４）。次に、作業の進捗率が１００％を超えているかを判定し（Ｓ２０５）、作業の進捗率が１００％を超えている場合は、その作業工程が遅延していると考えられるため、作業進捗管理サーバ９０の表示装置の画面にアラームを表示する（Ｓ２０６）。
【００５９】
また、進捗率によらず、作業が完了した場合には、作業責任者が作業員が保持しているＩＤタグ１０とは、別の作業ＩＤタグ８０を作業ＩＤタグリーダ６０に読み込ませる（Ｓ２１１）ことにより、作業が完了したという情報を取得し（Ｓ２１２）、作業進捗管理サーバ９０は、作業進捗ＤＢ５１１の作業完了フラグ５１１４を更新する。
【００６０】
工事現場では、複数の事業者が共同で作業を進めることが通例である。このようなことから、作業現場での管理を実効的におこなうため、作業名を会社毎に分類し、会社別の進捗率を求めるようにしてもよい。具体的には、作業時間ＤＢ５０９に会社名のフィールドを設け、会社毎に作業名を登録する。また、作業進捗ＤＢにおいても、会社名のフィールドを設けて、会社毎の進捗率を算出し、登録できるようにする。
【００６１】
また、本実施形態では、入退場管理サーバと作業進捗管理サーバの二つのサーバを有するシステム形態を想定したが、一つのサーバで処理する形態でもよい。その場合には、全てのデータベースが一つのサーバで統合的に管理される。
【００６２】
以上の実施形態では、主に、建設などの工事現場を想定して記述したきたが、工事現場に関わらず、作業者の作業時間が作業進捗に直接結びつくような単純作業工程に適用可能である。例えば、食品の製造ライン等が考えられる。
【００６３】
以上の実施形態により、本実施形態の作業進捗管理システムを用いることにより、以下のメリットがある。
（１）作業進捗状況がリアルタイムで参照でき、適切な作業計画支援が可能になる。
（２）作業実績情報を蓄積することで、各作業工程における標準作業時間を算出することで、予算および見積根拠に利用することができる。
（３）その日に作業可能な工程の作業者だけが、工事現場に入場することができ、現場入場のセキュリティが保持することができる。
【図面の簡単な説明】
【００６４】
【図１】本発明の一実施形態に係る作業管理システムをその作業の流れと共に示した図である。
【図２】本発明の一実施形態に係る作業管理システムの構成を簡単に示した図である。
【図３】入退場管理サーバの構成図である。
【図４】作業進捗管理サーバの構成図である。
【図５】端末の構成図である。
【図６】作業者情報ＤＢ５０６を示す図である。
【図７】作業ＤＢ５０７を示す図である。
【図８】入退場履歴ＤＢ５０８を示す図である。
【図９】作業時間ＤＢ５０９を示す図である。
【図１０】作業進捗ＤＢ５１１を示す図である。
【図１１】作業者が入場するときにおこなわれる処理を示すフローチャートである。
【図１２】作業者が退場するときにおこなわれる処理を示すフローチャートである。
【図１３】作業進捗ＤＢ更新に関する処理を示すフローチャートである。
【図１４】従来技術に係る工程進捗管理の流れを示す図であり、
【符号の説明】
【００６５】
１０…ＩＤタグ、２０…ＩＤタグリーダ、３０…端末、４０…ＬＡＮ、５０…入退場管理サーバ、６０…作業ＩＤタグリーダ、７０…作業進捗ボード、８０…各工程ＩＤタグ、９０…作業進捗管理サーバ。
【図１】
2007188116.tif 000003
【図２】
2007188116.tif 000004
【図３】
2007188116.tif 000005
【図４】
2007188116.tif 000006
【図５】
2007188116.tif 000007
【図６】
2007188116.tif 000008
【図７】
2007188116.tif 000009
【図８】
2007188116.tif 000010
【図９】
2007188116.tif 000011
【図１０】
2007188116.tif 000012
【図１１】
2007188116.tif 000013
【図１２】
2007188116.tif 000014
【図１３】
2007188116.tif 000015
【図１４】
2007188116.tif 000016